(57)【要約】【課題】クレジットカードを利用したオンラインショッピングシステムにおいて、安全性を向上する。【解決手段】利用者が、店舗のホストシステム６から利用者のコンピュータシステム５に送信されてきた商品（サービス）情報から所望の商品（サービス）を選択し、その商品（サービス）の発注情報を、カード名、カード番号、暗証番号、支払方法等とともに店舗のホストシステムに送信し、店舗のホストシステムは、商品（サービス）の購入代金をカードによって決済可能か否かをクレジット会社のホストシステム１に照会し、可能の場合に注文を受注するオンラインショッピングシステムにおいて、カード所有者が、一回使用すると使用不可となる認証番号を設定する手段をクレジット会社に設け、利用者が暗証番号の代わりに前記認証番号を使用して商品（サービス）を注文することを特徴とする。【選択図】図３
2006302311.tif 000002
【特許請求の範囲】
【請求項１】
利用者のコンピュータシステムと店舗のホストシステムとを通信回線を介して接続し、利用者は、店舗のホストシステムから送信されてきた商品情報またはサービス情報の中から所望の商品またはサービスを選択し、その商品またはサービスの発注情報を、その商品またはサービスの購入代金の決済を行うクレジットカード名、カード番号、暗証番号、支払方法等のクレジット情報とともに店舗のホストシステムに送信し、店舗のホストシステムは、前記購入代金の支払を前記クレジットカードによって決済可能か否かを通信回線を介してカードの使用可否の照会を行うカード照会システムに照会し、その照会結果が可の場合に利用者からの注文を受注するようにしたオンラインショッピングシステムにおいて、
カード所有者が、一回使用すると使用不可となる認証番号を設定する設定手段と、
前記認証番号が使用されたことを記録する記録手段と、
前記記録手段の記録結果に基づいてカードの使用の可否を判定する判定手段とを前記カード照会システムに設け、
前記設定手段は、一枚のカードに対して複数の前記認証番号を設定することができるとともに前記複数の認証番号の使用順序を設定することができ、
前記カード照会システムは、入力された前記認証番号と前記認証番号の使用順序の正否を判定し、
前記認証番号と前記認証番号の使用順序とが正しいと判定されたときに利用者が暗証番号の代わりに前記認証番号を使用して商品またはサービスの注文を行うようにし、
使用された前記認証番号と同一の認証番号が次回に使用された場合には、前記判定手段によってカードの使用を不可と判定することを特徴とするクレジットカードを利用したオンラインショッピングシステム。
【請求項２】
前記認証番号は、前記設定手段によって設定された後に用紙に出力されることを特徴とする請求項１に記載のクレジットカードを利用したオンラインショッピングシステム。
【請求項３】
複数の認証番号が設定されている場合には、利用者からの注文を受注した後、認証番号の使用順序を繰り上げることを特徴とする請求項１又は請求項２に記載のクレジットカードを利用したオンラインショッピングシステム。
【発明の詳細な説明】
【技術分野】
【０００１】
本発明は、クレジットカードを利用したオンラインショッピングシステムに関するものである。
【背景技術】
【０００２】
パソコン通信を利用したオンラインショッピングシステムは、利用者側にとっては、家に居ながら買物ができるという利点が有り、店舗側にとっては、利用者に最新の商品またはサービス情報を大量に供給することができ、遠方の利用者に商品やサービスを販売することができるという利点が有り、コンピュータや通信回線の発達に伴って、最近、ますます盛んになりつつある。更に、最近では、オンラインショッピングシステムがインターネットの世界に移行し、パソコンの所有者がホームページを通して世界中の店舗のビジュアルな商品またはサービスの情報を入手することができるようになったため、パソコンの普及と相まってオンラインショッピングシステムの利用者が爆発的に増加しており、オンラインショッピングシステムは、新しい商売の形態として、大きな期待と注目を集めている。オンラインショッピングシステムでは、購入代金の支払の決済は、手続きの容易さの点から、オンライン上で銀行の預金口座やクレジットカードによって行われることが多くなってきている。
【０００３】
例えば、購入代金の支払をクレジットカードによって決済するようにしたオンラインショッピングシステムでは、店舗のホストシステムが利用者のコンピュータシステムにオンラインで注文を行うための注文情報を供給し、利用者はこれにクレジットカード名、カード番号、暗証番号、支払方法等のクレジット情報を書き込み、店舗のホストシステムに送信する。そして、店舗のホストシステムは、商品やサービスの購入代金の支払を、前記クレジットカードによって決済可能か否かを通信回線を介してクレジット会社のホストシステムに照会し、その照会結果が可の場合に利用者からの注文を受注する。受注が終了すると、店舗から利用者に商品またはサービスの提供がなされ、決済日にクレジット会社によって購入代金が利用者の銀行預金口座から引き落とされる。
【発明の開示】
【発明が解決しようとする課題】
【０００４】
上述したように、従来のクレジットカードを利用したオンラインショッピングシステムでは、クレジット番号をオンライン上でやり取りしているため、ハッカー等によってカード番号や暗証番号が盗まれ、勝手に商品やサービスの注文が行われるという危険がある。そこで、店舗が利用者にクレジット情報を暗号化するソフトをオンライン上で供給し、利用者がクレジット情報を暗号化してから送信するという対策がとられているものの、暗号が解読されることがあり、必ずしも有効な対策になっているとはいえない。
【０００５】
本発明は、上述した問題点を解決し、クレジットカードを利用したオンラインショッピングシステムにおいて、安全性を向上することを目的としてなされたものである。
【課題を解決するための手段】
【０００６】
上述した目的を達成するために、本発明は、利用者のコンピュータシステムと店舗のホストシステムとを通信回線を介して接続し、利用者は、店舗のホストシステムから送信されてきた商品情報またはサービス情報の中から所望の商品またはサービスを選択し、その商品またはサービスの発注情報を、その商品またはサービスの購入代金の決済を行うクレジットカード名、カード番号、暗証番号、支払方法等のクレジット情報とともに店舗のホストシステムに送信し、店舗のホストシステムは、前記購入代金の支払を前記クレジットカードによって決済可能か否かを通信回線を介してカードの使用可否の照会を行うカード照会システムに照会し、その照会結果が可の場合に利用者からの注文を受注するようにしたオンラインショッピングシステムにおいて、カード所有者が、一回使用すると使用不可となる認証番号を設定する設定手段と、前記認証番号が使用されたことを記録する記録手段と、前記記録手段の記録結果に基づいてカードの使用の可否を判定する判定手段とを前記カード照会システムに設け、前記設定手段は、一枚のカードに対して複数の前記認証番号を設定することができるとともに前記複数の認証番号の使用順序を設定することができ、前記カード照会システムは、入力された前記認証番号と前記認証番号の使用順序の正否を判定し、前記認証番号と前記認証番号の使用順序とが正しいと判定されたときに利用者が暗証番号の代わりに前記認証番号を使用して商品またはサービスの注文を行うようにし、使用された前記認証番号と同一の認証番号が次回に使用された場合には、前記判定手段によってカードの使用を不可と判定するようにしたことを特徴とするものである。
【０００７】
また本発明は、上記構成のオンラインショッピングシステムにおいて、前記認証番号は、前記設定手段によって設定された後に用紙に出力されることを特徴とするものである。
【０００８】
また本発明は、上記構成のオンラインショッピングシステムにおいて、複数の認証番号が設定されている場合には、利用者からの注文を受注した後、認証番号の使用順序を繰り上げることを特徴とするものである。
【発明の効果】
【０００９】
本発明のオンラインショッピングシステムによれば、利用者が、暗証番号の代わりに一回使用すると使用不可となる認証番号によって商品またはサービスの注文を行うことにより、オンライン上でハッカー等に認証番号を盗まれても勝手に商品やサービスの注文が行われるのを防ぐことができるので、安全性が向上する。また、利用者が一度に複数の認証番号を設定しておくことにより、一つのショッピングの終了毎に認証番号を設定する必要がないので、利用者の手間が軽減される。さらに、利用者が複数の認証番号に使用順序を設定することにより、認証番号を盗まれても、盗まれた認証番号が正しい順序で使用されないとカードの使用が許可されないので、安全性が向上する。
【発明を実施するための最良の形態】
【００１０】
以下、本発明の具体的な実施形態を図面を参照しながら説明する。図１はクレジット会社のホストシステムの概略構成を示すブロック図、図２は認証番号が付与される手順を示すフローチャート図である。
【００１１】
このホストシステム１は、ホストコンピュータ２と、ホストコンピュータ２に接続された記憶装置３とを備えており、ホストコンピュータ２はＣＤ機（キャッシュディスペンサ）４に接続されている。記憶装置３は、顧客に関する情報（カード番号、暗証番号、与信残高、カードの有効期限、ブラックカードであるか否か等）を管理する顧客マスター３ａと、一回使用すると使用不可となる認証番号を記憶する認証番号マスター３ｂとを有している。クレジット会社は、カード所有者が前記認証番号を設定する設定手段を備えており、この設定手段は、ＣＤ機４を制御するマイクロコンピュータのＲＯＭに格納されたプログラムと、ホストコンピュータ２のＲＯＭに格納されたプログラムとによって構成されている。
【００１２】
カード所有者が認証番号を設定する手順を図２を参照しながら説明する。ＣＤ機４の初期画面には、融資、返済、与信残高照会、認証番号設定等の取引内容が表示されており、カード所有者はこの中から認証番号設定の項目を選択する（ステップ＃５、＃１０）。
【００１３】
これが終了すると、画面がクレジットカードの挿入を要求するので、カード所有者はクレジットカードをＣＤ機４の所定の挿入口に挿入する。（ステップ＃１５）。次に、画面が暗証番号の入力を要求するので、カード所有者は暗証番号を入力する（ステップ＃２０）。ホストコンピュータ２は暗証番号が正しいか否かを判定し（ステップ＃２５）、正しい場合には画面が認証番号を複数個設定するか否かを尋ねる（ステップ＃３０）。
【００１４】
カード所有者がＹＥＳを選択すると、画面が認証番号の入力を要求するので、カード所有者は任意の番号を入力する。ＣＤ機４は、ホストコンピュータ２に、この番号が既に登録されたものであるか否かを照会し、ホストコンピュータ２は、認証番号マスター３ｂを検索し、その結果をＣＤ機４に知らせる。同じ認証番号が既に存在する場合には、ＣＤ機４の画面に受付不可の表示と再度認証番号の入力を要求する表示がなされるので、利用者は再度認証番号入力の操作を行う。認証番号が認証番号マスター３ｂに存在しない場合には、その認証番号はカード番号に基づいて認証番号マスター３ｂに記憶される。カード所有者は一つの認証番号の設定が終了すると次の認証番号の設定を行い、全ての認証番号の設定が終了すると設定終了の旨を入力する（ステップ＃３５）。
【００１５】
次に、画面が認証番号の使用順序の設定を要求するので、利用者は使用順序を設定する（ステップ＃４０）。最後に、認証番号、使用順序等が印刷された取引明細書が発行される（ステップ＃４５）。なお、ステップ＃３０でＮＯを選択した場合には、一つの認証番号の設定が終了する（ステップ＃５０）と、取引明細書が発行される。
【００１６】
なお、認証番号はＣＤ機４から自動的に与えられるようにしても良いし、ＣＤ機４が認証番号の一部を与え、これにカード所有者が任意の番号を組み合わせて認証番号とするようにしてもよい。
【００１７】
図３はオンラインショッピングシステムの概略構成を示すブロック図、図４はこのオンラインショッピングシステムによって商品やサービスを購入する手順を示すフローチャート図である。
【００１８】
このオンラインショッピングシステムは、商品またはサービスの購入代金をクレジットカードによって決済するようにしたもので、利用者のコンピュータシステム５が公衆回線網ＰＬを介して店舗のホストシステム６に接続され、店舗のホストシステム６は専用の通信回線Ｌを介してクレジット会社のホストシステム１に接続されている。
【００１９】
利用者のコンピュータシステム５は、パーソナルコンピュータ（以下、パソコンと記す）７とプリンタ８とを有し、パソコン７はインターフェース９を介して公衆回線網ＰＬに接続されている。
【００２０】
店舗のホストシステム６は、ホストコンピュータ１０と、記憶装置１１と、端末装置１２とを有し、ホストコンピュータ１０はインターフェース１３を介して公衆回線網ＰＬに接続されている。記憶装置１１は商品のイメージデータや詳細情報（メーカー名、価格、サイズ、色等）を管理する商品情報マスター１１ａを有している。端末装置１２はホストコンピュータ１０に商品情報等を入力するためのもので、パーソナルコンピュータ等によって構成される。
【００２１】
次に、このオンラインショッピングシステムによって実際に商品やサービスを購入する手順を説明する。利用者は、クレジット会社に認証番号を登録した後、パソコン７を起動してインターネットに接続し、所望の店舗のホームページを表示する（ステップ＃１０５）。次に、利用者は、画面上の指示に従って商品ジャンルを選択し（ステップ＃１１０）、次いでメーカー名を入力する（ステップ＃１１５）。
【００２２】
店舗のホストコンピュータ１０は、商品情報マスター１１ａからその商品のイメージデータを読み出して利用者のパソコン７に送信する（ステップ＃１２０）。利用者は、商品のイメージデータを確認した後、画面上の指示に従って商品の詳細情報（価格、色、サイズ）の表示を要求する旨を入力する。店舗のホストコンピュータ１０は、商品情報マスター１１ａからその商品の詳細情報を読み出して利用者のパソコン７に送信する（ステップ＃１２５）。利用者がその商品の購入を希望する旨を入力すると、画面が、その商品の購入代金の支払の決済に利用するクレジットカード名、カード番号、認証番号、支払方法等のクレジット情報の入力を要求するので、利用者はクレジット情報を入力する（ステップ＃１３０、＃１３５）。なお、ステップ＃１３０で利用者がその商品の購入を希望しない旨を入力した場合には、商品ジャンル選択の画面に戻る。
【００２３】
クレジット情報の入力が終了すると、店舗のホストコンピュータ１０は、そのクレジットカードによって商品の購入代金を決済可能か否かを通信回線Ｌを介してクレジット会社のホストコンピュータ２に照会する。ホストコンピュータ２は、認証番号マスター３ｂを検索して、認証番号が登録されているか、認証番号の使用順序が合っているか否かの調査を行い、いずれもＯＫの場合には、顧客マスター３ａを検索し、与信残高、ブラックカードか否か等の調査を行い、決済可能か否かを判定する（ステップ＃１４０）。
【００２４】
決済可能の場合には、ホストコンピュータ２はその旨を店舗のホストコンピュータ１０に送信し、顧客マスター３ａに取引内容を記録するとともに認証番号マスター３ｂにその認証番号が使用されたことを記録する。これによって、次回に同じ認証番号が使用された場合には、そのカードの使用は不可であるとの判定がなされる。また、そのカードに複数の認証番号が設定されている場合には、認証番号の使用順序が一つ繰り上がる。そして、店舗のホストコンピュータ１０は、利用者のパソコン７に他の商品を購入するか否かを尋ねる。利用者が他の商品を購入する旨を入力すると、商品ジャンル選択の画面に戻り、利用者が他の商品を購入しない旨を入力すると、ホームページの画面に戻る（ステップ＃１４５）。そして、店舗から利用者に商品の発送が行われ、決済日に商品の購入代金がクレジット会社によって利用者の銀行預金口座から引き落とされる。
【００２５】
なお、ステップ＃１４０で決済不可と判定された場合には、ホストコンピュータ２はその旨を店舗のホストコンピュータ１０に送信し、利用者のパソコン７にエラーメッセージが表示されるとともに、取引を中止するか否かを尋ねる表示がなされる。利用者が取引続行を選択すると、商品ジャンル選択の画面に戻り、取引中止を選択すると、ホームページの画面に戻る（ステップ＃１５０）。
【００２６】
なお、上記実施形態では、店舗のホストシステムが直接クレジット会社のホストシステムにカードの使用可否の照会を行うようにしているが、与信システムを介してカードの照会を行うようにしても良い。
【図面の簡単な説明】
【００２７】
【図１】クレジット会社のホストシステムの概略構成を示すブロック図。
【図２】認証番号を設定する手順を示すフローチャート図。
【図３】オンラインショッピングシステムの概略構成を示すブロック図。
【図４】図３のオンラインショッピングシステムによって商品やサービスを購入する  手順を示すフローチャート図。
【符号の説明】
【００２８】
１ クレジット会社のホストシステム
５ 利用者のコンピュータシステム
６ 店舗のホストシステム
ＰＬ 公衆回線網（通信回線）
Ｌ 通信回線
【図１】
2006302311.tif 000003
【図２】
2006302311.tif 000004
【図３】
2006302311.tif 000005
【図４】
2006302311.tif 000006